(57)【特許請求の範囲】
【請求項１】
内部に電気泳動により試料を分離するための分離流路を少なくとも含む流路を備え、前記流路の各端部にそれぞれ開口したリザーバを有するマイクロチップを前記リザーバが上面にくるように保持するチップ保持部と、
下面が前記チップ保持部に保持されたマイクロチップの上面と対向するように配置され、前記リザーバに対応する位置に前記リザーバごとに設けられて前記リザーバの容量を拡大するための貫通孔、及び、前記下面に設けられて前記貫通孔と前記リザーバの間の気密を保つように前記マイクロチップに押し付けられる弾性部材を有するシール付き部材と、
分注プローブを備え、前記分注プローブの移動及び前記分注プローブからの流体の吐出を行う分注プローブ機構と、
吸引ノズルを備え、前記吸引ノズルの移動及び前記吸引ノズルへの流体の吸引を行う吸引ノズル機構と、
前記分注プローブ機構及び吸引ノズル機構の動作を制御する制御部と、を備えたマイクロチップ電気泳動装置。
【請求項２】
前記制御部は、前記マイクロチップの前記流路内を洗浄する際に、所定の１箇所の前記貫通孔である加圧ポート貫通孔に前記加圧ポート貫通孔と前記分注プローブの間の気密を保って前記分注プローブを挿入し、前記分注プローブから洗浄液を吐出させて前記加圧ポート貫通孔の下の前記リザーバである加圧ポートリザーバから前記流路内に洗浄液を流すように前記分注プローブ機構の動作を制御する請求項１に記載のマイクロチップ電気泳動装置。
【請求項３】
前記分注プローブは外径が先端側ほど細くなっているプローブテーパー部分を有し、
前記プローブテーパー部分が前記加圧ポート貫通孔の内壁に押し付けられることによって前記加圧ポート貫通孔と前記分注プローブの間の気密が保たれる請求項２に記載のマイクロチップ電気泳動装置。
【請求項４】
前記加圧ポート貫通孔は、その内壁に前記チップ保持部側ほど内径が小さくなっている貫通孔テーパー部分を有し、
前記分注プローブが前記貫通孔テーパー部分に押し付けられることによって前記加圧ポート貫通孔と前記分注プローブの間の気密が保たれる請求項２又は３に記載のマイクロチップ電気泳動装置。
【請求項５】
前記加圧ポート貫通孔において前記分注プローブが押し付けられる部分は、前記シール付き部材の基材に対して交換可能な貫通孔部材によって形成されている請求項２から４のいずれか一項に記載のマイクロチップ電気泳動装置。
【請求項６】
前記制御部は、前記流路内を洗浄する際に、前記流路から前記残りのリザーバへ排出される洗浄液の液面が前記残りの貫通孔内に位置するように前記分注プローブ機構及び前記吸引ノズル機構を動作させる請求項１から５のいずれか一項に記載のマイクロチップ電気泳動装置。
【請求項７】
前記制御部は、前記分注プローブから洗浄液を供給して前記流路内を洗浄した後、前記加圧ポート貫通孔から前記分注プローブを引き抜き、前記加圧ポート貫通孔を介して前記加圧ポートリザーバに前記吸引ノズルを挿入して前記加圧ポートリザーバ内の洗浄液を吸引除去し、前記加圧ポート貫通孔から前記吸引ノズルを引き抜き、再度前記加圧ポート貫通孔に前記分注プローブを気密を保って挿入し、前記分注プローブから空気を吐出させて前記加圧ポートリザーバから前記流路内に空気を流し、前記流路から前記残りのリザーバへ排出される洗浄液を前記吸引ノズルで吸引するように前記分注プローブ機構及び前記吸引ノズル機構を動作させる請求項２から５のいずれか一項に記載のマイクロチップ電気泳動装置。
【発明の詳細な説明】
【技術分野】
【０００１】
本発明は、マイクロチップ電気泳動装置に関するものである。
【背景技術】
【０００２】
マイクロチップ電気泳動では、板状部材の内部に分離流路を含む流路を有する電気泳動用のマイクロチップ（以下、電気泳動チップとも言う）が使用される。電気泳動チップの分離流路に導入された例えばＤＮＡ、ＲＮＡ又はタンパク質などの試料は、分離流路の両端間に電圧が印加されて分離流路内で電気泳動されることによって分離して検出される。
【０００３】
例えば、電気泳動チップは、一対の板状部材を用い、流路を内側にして貼り合わせて形成される。通常、流路端に対応する位置に、貫通孔からなり、アクセスホールかつ液溜めとして用いられるリザーバが設けられる。リザーバに対して、電気泳動チップの一表面側から、試薬やサンプルの分注、分離ポリマー（泳動媒体）の加圧充填などが行われる。分析終了後に流路内及びリザーバを十分に洗浄すれば、複数のサンプルに対して同一チップを用いて分析することができる。
【０００４】
リザーバの容量は板状部材の板厚と穴径で規定される。例えば板厚が１ｍｍ、穴径が２ｍｍであれば、リザーバの容量は約３μＬ（マイクロリットル）程度である。そのため、リザーバの洗浄処理には、３μＬ以下の洗浄液の分注と吸引機構、及びリザーバの少なくとも１箇所への加圧送液機構が必要である。
【０００５】
電気泳動チップを用いて全自動で電気泳動を行なうマイクロチップ電気泳動装置として、リザーバに分離ポリマーやサンプルなどの液を供給するための分注プローブや、リザーバに供給された分離ポリマーを加圧によって流路内に充填する加圧送液機構、流路内からリザーバ側に溢れてきた分離ポリマーを吸入する吸引ノズルなどを備えたものがある（特許文献１参照。）。
【先行技術文献】
【特許文献】
【０００６】
【特許文献１】特許第４３７５０３１号公報
【発明の概要】
【発明が解決しようとする課題】
【０００７】
電気泳動チップで核酸やタンパク質などの生体高分子を分離検出する場合、通常、水溶性ポリマーを含む緩衝溶液を流路ネットワーク全体に充填し、流路端に形成した複数のリザーバの少なくとも１箇所にサンプルを分注して電気泳動を行う。電気泳動が終了した後、（１）各リザーバ内の緩衝溶液の吸引除去、（２）各リザーバ内への洗浄液の分注、（３）各リザーバ内の洗浄液の吸引除去、（４）少なくとも１箇所のリザーバへの洗浄液の分注、（５）洗浄液の加圧送液、（６）他のリザーバへ排出される使用済み緩衝溶液の吸引、（７）吸引ノズルの内外表面の洗浄、（８）分注プローブの洗浄、の処理をこの順で何度も繰り返して電気泳動チップの流路内及びリザーバの洗浄を行う。
【０００８】
リザーバ容量以下の洗浄液の吐出及び吸引を繰り返すため、上記の洗浄処理のループ回数は増える。また、サンプルのキャリーオーバを無くすために洗浄処理のループ回数は増える傾向にある。そのため、洗浄処理に長時間を要するという課題があった。また、リザーバ容量以上の洗浄液を吐出してチップ表面に溢れさせるとリザーバ電極間で短絡するという不具合が生じる。溢れないとしても、空気を圧送する際などチップ表面に飛沫が飛散すると徐々に沿面距離が狭くなり短絡するようになる問題が生じる。いずれも場合も装置からチップを取り外し、手操作でチップ表面を洗浄する必要が生じ、全自動の利便性を損なうという課題があった。
【０００９】
本発明は、チップの構造を複雑にせず、コストと操作性を損なうことなくマイクロチップを繰り返し使用することを目的とするものである。
【課題を解決するための手段】
【００１０】
本発明に係るマイクロチップ電気泳動装置の実施形態は、内部に電気泳動により試料を分離するための分離流路を少なくとも含む流路を備え、上記流路の各端部にそれぞれ開口したリザーバを有するマイクロチップを上記リザーバが上面にくるように保持するチップ保持部と、上記チップ保持部に保持されたマイクロチップに対向して配置され、上記リザーバに対応する位置に上記リザーバごとに設けられた貫通孔と、上記貫通孔と上記リザーバの間の気密を保つように上記マイクロチップに押し付けられる弾性部材とを有するシール付き部材と、分注プローブを備え、上記分注プローブの移動及び上記分注プローブからの流体の吐出を行う分注プローブ機構と、吸引ノズルを備え、上記吸引ノズルの移動及び上記吸引ノズルへの流体の吸引を行う吸引ノズル機構と、上記分注プローブ機構及び吸引ノズル機構の動作を制御する制御部と、を備えたものである。
【発明の効果】
【００１１】
本発明に係るマイクロチップ電気泳動装置の実施形態は、チップの構造を複雑にせず、コストと操作性を損なうことなく電気泳動チップを繰り返し使用することができる。
【図面の簡単な説明】
【００１２】
【図１】マイクロチップ電気泳動装置の一実施形態における制御部に関する部分を概略的に示すブロック図である。
【図２】同実施形態の構成を説明するための概略的な斜視図である。
【図３】マイクロチップの一例を示す図であり、（Ａ）と（Ｂ）はマイクロチップを構成する透明板状部材を示す平面図、（Ｃ）はマイクロチップの正面図である。
【図４】同マイクロチップの具体的な一例を示す平面図である。
【図５】電気泳動チップが搭載された状態のチップ保持部を示す概略的な平面図である。
【図６】シール付き部材を示す概略的な平面図である。
【図７】マイクロチップとシール付き部材が取り付けられた状態のチップ保持部の一部分を示す概略的な断面図である。
【図８】同実施形態の動作を工程順に説明するための概略的な斜視図である。
【図９】同実施形態の続きの動作を工程順に説明するための概略的な斜視図である。
【図１０】同実施形態のさらに続きの動作を工程順に説明するための概略的な斜視図である。
【図１１】同実施形態のさらに続きの動作を工程順に説明するための概略的な斜視図である。
【図１２】同実施形態のさらに続きの動作を工程順に説明するための概略的な斜視図である。
【図１３】流路内洗浄動作の工程を説明するための概略的な断面図である。
【図１４】加圧ポート＃４に分注プローブが挿入され、ポート＃３に吸引ノズルが挿入されている状態を説明するための概略的な断面図である。
【図１５】電気泳動チップの流路に洗浄液を供給している状態を説明するための概略的な断面図である。
【図１６】参考例としての流路内洗浄動作の工程を説明するための概略的な断面図である。
【発明を実施するための形態】
【００１３】
本発明のマイクロチップ電気泳動装置の実施形態において、例えば、マイクロチップのリザーバに対して気密を保って配置されるシール付き部材の貫通孔をリザーバ容量の増大に用いることができる。したがって、消耗品（マイクロチップ）のコストを上げずに、リザーバ容量を増やすことができる。
【００１４】
また、リザーバに対して気密を保って配置された貫通孔に洗浄液を溜めることにより、貫通孔内で吸引ノズルの洗浄することができる。この場合、吸引ノズルを洗浄するための専用の容器が不要になり、装置構成を簡略化できる。
【００１５】
また、貫通孔とリザーバの間の気密を保つようにマイクロチップに押し付けられる弾性部材を有するシール付き部材は、リザーバ間の沿面距離の拡大の効果を奏する。したがって、消耗品（マイクロチップ）のコストを上げずに、リザーバ電極間の短絡を防止することができる。
【００１６】
また、本発明のマイクロチップ電気泳動装置の実施形態において、例えば、上記制御部は、上記マイクロチップの上記流路内を洗浄する際に、所定の１箇所の上記貫通孔である加圧ポート貫通孔に上記加圧ポート貫通孔と上記分注プローブの間の気密を保って上記分注プローブを挿入し、上記分注プローブから洗浄液を吐出させて上記加圧ポート貫通孔の下の上記リザーバである加圧ポートリザーバから上記流路内に洗浄液を流すように上記分注プローブ機構の動作を制御するようにしてもよい。これにより、過剰量の洗浄液を連続的に流路及びリザーバに流して洗浄を行うことができ、洗浄時間の短縮を実現できる。
【００１７】
本発明のマイクロチップ電気泳動装置の実施形態において、例えば、上記分注プローブは外径が先端側ほど細くなっているプローブテーパー部分を有し、上記プローブテーパー部分が上記加圧ポート貫通孔の内壁に押し付けられることによって上記加圧ポート貫通孔と上記分注プローブの間の気密が保たれるようにしてもよい。これにより、Ｏリング等のシール付き部材を用いなくても加圧ポート貫通孔と分注プローブの間の気密を確保できる。
【００１８】
さらに、例えば、上記加圧ポート貫通孔は、その内壁に上記チップ保持部側ほど内径が小さくなっている貫通孔テーパー部分を有し、上記分注プローブが上記貫通孔テーパー部分に押し付けられることによって上記加圧ポート貫通孔と上記分注プローブの間の気密が保たれるようにしてもよい。これにより、加圧ポート貫通孔と分注プローブの間の気密をより確実に確保できるようになる。
【００１９】
また、本発明のマイクロチップ電気泳動装置の実施形態において、例えば、上記加圧ポート貫通孔において上記分注プローブが押し付けられる部分は、上記シール付き部材の基材に対して交換可能な貫通孔部材によって形成されているようにしてもよい。これにより、加圧ポート貫通孔において分注プローブが押し付けられる部分が摩耗等によって劣化した場合に、当該部分を含む部材を交換して、加圧ポート貫通孔と分注プローブの間の気密を確保できる。
【００２０】
また、上記制御部は、例えば、上記流路内を洗浄する際に、上記流路から上記残りのリザーバへ排出される洗浄液の液面が上記残りの貫通孔内に位置するように上記分注プローブ機構及び上記吸引ノズル機構を動作させるようにしてもよい。これにより、リザーバ内で吸引ノズルを洗浄できる。
【００２１】
また、上記制御部は、例えば、上記分注プローブから洗浄液を供給して上記流路内を洗浄した後、上記加圧ポート貫通孔から上記分注プローブを引き抜き、上記加圧ポート貫通孔を介して上記加圧ポートリザーバに上記吸引ノズルを挿入して上記加圧ポートリザーバ内の洗浄液を吸引除去し、上記加圧ポート貫通孔から上記吸引ノズルを引き抜き、再度上記加圧ポート貫通孔に上記分注プローブを気密を保って挿入し、上記分注プローブから空気を吐出させて上記加圧ポートリザーバから上記流路内に空気を流し、上記流路から上記残りのリザーバへ排出される洗浄液を上記吸引ノズルで吸引するように上記分注プローブ機構及び上記吸引ノズル機構を動作させるようにしてもよい。
【００２２】
以下、図面を用いてマイクロチップ電気泳動装置の一実施形態について説明する。
図１はマイクロチップ電気泳動装置の一実施形態における制御部に関する部分を概略的に示すブロック図である。図２は、この実施形態のマイクロチップ電気泳動装置の構成を説明するための概略的な斜視図である。
【００２３】
マイクロチップ電気泳動装置１は、大きく分けて、分注プローブ部２と計量ポンプ４を有する分注プローブ機構６、チップ保持部７、吸引ノズル部１６と吸引ポンプ部１８を有する吸引ノズル機構１９、電圧印加部２４、シール付き部材２６、検出部３１及び制御部３８を備えている。
【００２４】
チップ保持部７に例えば４つの電気泳動チップ５が保持されている。電気泳動チップ５に対向してシール付き部材２６が配置されている。シール付き部材２６はネジ２７によってチップ保持部７に着脱可能に取り付けられている。電気泳動チップ５、チップ保持部７及びシール付き部材２６については後述する。
【００２５】
分注プローブ機構６は、電気泳動チップ５のリザーバに分離ポリマーや試料の分注や、洗浄液や空気の供給を行うものである。分注プローブ機構６の分注プローブ部２は、分注プローブ８と、分注プローブ８を水平方向（ＸＹ方向）と鉛直方向（Ｚ方向）に三次元移動させる分注プローブ移動機構を備えている。分注プローブ８は、例えばステンレス製であり、外径が先端側ほど細くなっているプローブテーパー部分８ａを有している。
【００２６】
分注プローブ機構６は、例えば、計量ポンプ４と、開閉バルブ９ａ，９ｂと、洗浄液容器１０も備えている。分注プローブ８は開閉バルブ９ａを介して計量ポンプ４に接続されている。洗浄液容器１０は開閉バルブ９ｂを介して計量ポンプ４に接続されている。洗浄液容器１０は洗浄液を収容している。洗浄液は例えば純水である。
【００２７】
吸引ノズル機構１９は、電気泳動チップ５のリザーバ内の分離ポリマー、試料又は洗浄液を吸入するものである。吸引ノズル機構１９の吸引ノズル部１６は、１つの電気泳動チップ５のリザーバに対応して設けられた吸引ノズル２２−１〜２２−４と、吸引ノズル２２−１〜２２−４を保持するノズル保持部１７と、ノズル保持部１７を例えばＸ方向とＺ方向で二次元移動させる吸引ノズル移動機構を備えている。なお、この吸引ノズル移動機構は吸引ノズルを三次元移動させるものであってもよい。吸引ノズル２２−１〜２２−４は吸引ポンプ部１８に設けられたポンプにそれぞれ接続されている。吸引ノズル２２−１〜２２−４は例えばステンレス製である。
【００２８】
分注プローブ移動機構及び吸引ノズル移動機構は、例えば、モータの回転によって動作されるベルト駆動方式やボールネジ駆動方式などの直動案内機構によってそれぞれ構成される。ただし、これらの移動機構は、直動案内機構に限定されず、分注プローブや吸引ノズルを所定位置に移動させることができる機能を有する機構であれば特に限定されない。
【００２９】
分注プローブ８を洗浄するためのプローブ洗浄部１４と、吸引ノズル２２−１〜２２−４を洗浄するためのノズル洗浄部２８が設けられている。プローブ洗浄部１４とノズル洗浄部２８には洗浄液が供給される。
【００３０】
分注プローブ８の移動範囲内に、例えば試料や試薬、分離ポリマーなどを収容した９６穴のウェルプレート１２が配置される。なお、試薬や分離ポリマーは専用の容器に収容されてウェルプレート１２の近くに配置されてもよい。
【００３１】
電圧印加部２４は、電気泳動チップ５ごとに、電気泳動チップ５の流路端のそれぞれに独立した泳動用電圧を印加する。
【００３２】
検出部３１は、電気泳動チップ５内の分離流路で分離された試料成分を例えば蛍光検出する。検出部３１は、例えば、電気泳動チップ５ごとに、分離流路の一部に励起光を照射するＬＥＤ（発光ダイオード）３０と、分離流路を移動する試料成分がＬＥＤ３０からの励起光により励起されて発生した蛍光を受光する光ファイバ３２を備えている。検出部３１は、光ファイバ３２からの蛍光から励起光成分を除去して蛍光成分のみを透過させるフィルタ３４を介して蛍光を受光する光電子増倍管３６を備えている。
【００３３】
この実施形態では互いに異なる蛍光を透過させる２つのフィルタ３４が使用されている。これにより、４つの電気泳動チップ５で互いに異なる蛍光を検出することができるようになっている。ただし、４つの電気泳動チップ５で同じ蛍光を検出する場合には、１つのフィルタを共通に使用することができる。
【００３４】
また、４つのＬＥＤ３０を互いに時間をずらして発光させることにより、１つの光電子増倍管３６で４つの電気泳動チップ５からの蛍光を識別して検出することができる。なお、励起光の光源としては、ＬＥＤに限らず、例えばＬＤ（レーザダイオード）を用いてもよい。
【００３５】
制御部３８は、分注プローブ機構６、吸引ノズル機構１９、電圧印加部２４及び検出部３１の動作を制御する。制御部３８は、例えば、ＣＰＵ（中央演算処理装置）や記憶装置などを搭載したマイコンによって実現される。制御部３８はマイクロチップ電気泳動装置１の外部に設けられたコンピュータ４０に接続されている。
【００３６】
コンピュータ４０は例えばパーソナルコンピュータ（ＰＣ）や専用のコンピュータによって実現される。コンピュータ４０は、マイクロチップ電気泳動装置１の動作を指示したり、検出部３１が得たデータを取り込んで処理したりするための外部制御装置である。
【００３７】
図３と図４は電気泳動チップ５の一例を示したものである。なお、本発明の実施形態における電気泳動チップ（マイクロチップ）は、内部に形成された流路と流路端にそれぞれ開口したリザーバを有するチップを指しており、必ずしもサイズの小さいものに限定される意味ではない。
【００３８】
図３に示されるように、電気泳動チップ５は、例えば一対の透明基板５１，５２からなる。透明基板５１，５２は例えば石英ガラスその他のガラス基板や樹脂基板で形成されている。
【００３９】
一方の基板５２の表面に、（Ｂ）に示されるように、互いに交差する泳動用キャピラリ溝５４，５５が形成されている。他方の基板５１には、（Ａ）に示されるように、その溝５４，５５の端に対応する位置にリザーバ５３−１〜５３−４としての貫通孔が形成されている。（Ｃ）に示されるように、両基板５１，５２が重ねられて接合されて電気泳動チップ５が形成される。キャピラリ溝５４，５５によって、電気泳動チップ５内に、試料の電気泳動分離用の分離流路５５と、分離流路５５に試料を導入するための試料導入流路５４が形成される。
【００４０】
電気泳動チップ５は基本的には図３に示したものであるが、取扱いを容易にするために、図４に示されるように、電圧を印加するための電極端子を予めチップ上に形成したものを使用する。図４は電気泳動チップ５の平面図を示したものである。
【００４１】
４つのリザーバ５３−１〜５３−４は流路５４，５５に電圧を印加するためのポートでもある。ポート＃１と＃２は試料導入流路５４の両端に位置するポートである。ポート＃３と＃４は分離流路５５の両端に位置するポートである。ポート＃４は加圧ポートを構成する。リザーバ５３−４は加圧ポートリザーバを構成する。
【００４２】
各ポートに電圧を印加するために、各ポートを構成するリザーバ５３−１〜５３−４の内壁面から電気泳動チップ５の表面にわたって電極パターン５６−１〜５６−４が形成されている。電極パターン５６−１〜５６−４は電圧印加部２４（図２を参照。）に接続されるようになっている。
【００４３】
図５から図７を参照してシール付き部材とチップ保持部について説明する。図５は、電気泳動チップが搭載された状態のチップ保持部を示す概略的な平面図である。図６は、シール付き部材を示す概略的な平面図である。図７は、電気泳動チップとシール付き部材が取り付けられた状態のチップ保持部の一部分を示す概略的な断面図である。なお、図７では、ポート＃３と＃４が図示され、ポート＃１と＃２は図示されていないが、ポート＃１と＃２の構成はポート＃３と同様である。
【００４４】
図５に示されているように、チップ保持部７は、上面の４か所に、電気泳動チップ５を保持するためのチップホルダ７１と凹部７４を備えている。チップ保持部７の対角の２ヶ所にシール付き部材２６を固定するためのネジ穴７２が設けられている。図６に示されるように、シール付き部材２６の対角の２ヶ所にもネジ２７を貫通させる穴６２が設けられている。
【００４５】
また、チップ保持部７は、後述する吸引ノズル２２−４が挿入される逃げ穴７３を備えている。逃げ穴７３は、Ｘ方向（図２を参照）で電気泳動チップ５の保持位置からずれた位置に、電気泳動チップ５の保持位置ごとに設けられている。
【００４６】
シール付き部材２６は、例えば樹脂製であり、リザーバ５３−１〜５３−４に対応する位置に貫通孔６４−１〜６４−４を備えている。貫通孔６４−４は加圧ポート貫通孔を構成する。また、シール付き部材２６は、チップ保持部７の逃げ穴７３に対応する位置に、後述する吸引ノズル２２−４が挿入される貫通孔からなる逃げ穴６３を備えている。
【００４７】
貫通孔６４−１〜６４−４は、例えば、シール付き部材２６の基材に形成された、裏面側（チップ保持部７側）に開口を有する有底円筒形状の穴の底部からシール付き部材２６の表面に向かって設けられた貫通孔で構成される部分と、上記有底円筒形状の穴に裏面側から交換可能に嵌め込まれた貫通孔部材６５−１〜６５−４に設けられた貫通孔で構成される部分とを有している。
【００４８】
貫通孔部材６５−１〜６５−３は、例えば内径が均一な樹脂製の円管部材で形成されている。貫通孔部材６５−１〜６５−３の内径は、分注プローブ８が挿入されたときに貫通孔部材６５−１〜６５−３と分注プローブ８の間に隙間ができる程度に、分注プローブ８の外径よりも大きい。また、貫通孔部材６５−１〜６５−３の内径は、吸引ノズル２２−１〜２２−３の外径よりも大きい。
【００４９】
加圧ポート貫通孔６４−４に配置される貫通孔部材６５−４の貫通孔は、例えば、その内壁にチップ保持部７側ほど内径が小さくなる貫通孔テーパー部分６５−４ａを備えている。貫通孔テーパー部分６５−４ａは、チップ保持部７側の端部が分注プローブ８の外径よりも小さくなっており、分注プローブ８のプローブテーパー部分８ａが押し付けられる部位である。また、貫通孔部材６５−４の内径は、吸引ノズル２２−４の外径よりも大きい。
【００５０】
また、シール付き部材２６には、貫通孔６４−１〜６４−４とリザーバ５３−１〜５３−４の間の気密を保つように電気泳動チップ５に押し付けられる弾性部材６７が貫通孔６４−１〜６４−４ごとに設けられている。弾性部材６７は例えばＯリングである。弾性部材６７は貫通孔部材６５−１〜６５−４の電気泳動チップ５に対向する面に配置されている。
【００５１】
弾性部材６７によって貫通孔６４−１〜６４−４とリザーバ５３−１〜５３−４の間の気密が保たれることによって、必要に応じて、貫通孔６４−１〜６４−４を大容量のリザーバとして使用することができる。
【００５２】
シール付き部材２６の裏面側に、電気泳動チップ５の電極パターン５６−１〜５６−４と電気的に接続される電極コンタクト６６−１〜６６−４が設けられている。電極コンタクト６６−１〜６６−４は電気配線によって端子接続部６８に接続されている。端子接続部６８は電圧印加部２４（図２を参照。）に接続される。
【００５３】
図８から図１２を参照して、マイクロチップ電気泳動装置１の動作について説明する。マイクロチップ電気泳動装置１において、電気泳動チップ５は移動されずにチップ保持部７に固定された状態で繰り返し使用されるものである。ここで説明する動作は、前回の分析で使用された電気泳動チップを洗浄し、流路及び各リザーバに分離ポリマーを充填し、その後試料を分注して電気泳動を行って分析を行う一連の工程である。これらの動作はマイクロチップ電気泳動装置１の制御部３８による制御によって行われる。なお、図８から図１２において、シール付き部材２６の図示は省略されている。また、図８〜図１２の（Ａ）〜（Ｔ）は、以下に説明する工程（Ａ）〜（Ｔ）に対応している。
【００５４】
（Ａ）は１つの電気泳動チップ５を示している。電気泳動チップ５は図３及び図４に示されたものと同等である。分離流路５５と試料導入流路５４が交差するように設けられ、各流路５４，５５の端部にリザーバ５３−１〜５３−４が形成されている。ここで、電気泳動チップ５は前の試料の分析が終了した状態であり、流路及び各リザーバには分離ポリマーや試料溶液が残っている。また、流路５５内の分離ポリマーに、分離された試料が残っている。
【００５５】
（Ｂ）まず、試料収容用のリザーバ５３−１に収容されている試料溶液を除去するために、ノズル保持部１７が電気泳動チップ５の上に移動された後に下降されて、吸引ノズル２２−１が貫通孔６４−１（図６を参照。）を介してリザーバ５３−１に挿入される。
【００５６】
ここで、図２に示されるように、吸引ノズル２２−１の長さは吸引ノズル２２−２，２２−３よりも長くなっている。また、吸引ノズル２２−４の長さは吸引ノズル２２−１よりも長くなっている。さらに、吸引ノズル２２−１〜２２−４は、吸引ノズル２２−１〜２２−３がリザーバ５３−１〜５３−３（貫通孔６４−１〜６４−３）の上方に配置されたときに、吸引ノズル２２−４が逃げ穴６３，７３（図５及び図６も参照。）の上方に配置されるように、ノズル保持部１７に保持されている。さらに、吸引ノズル２２−１〜２２−４は、バネ機構によりノズル保持部１７に対して先端位置がそれぞれノズル保持部１７側へ移動できるようにノズル保持部１７に保持されている。
【００５７】
このような吸引ノズル２２−１〜２２−４の構成により、吸引ノズル２２−１の先端がリザーバ５３−１に挿入されてリザーバ５３−１の底部に接触し、吸引ノズル２２−２，２２−３の先端がリザーバ５３−２，５３−３には挿入されておらず、かつ、吸引ノズル２２−４の先端が逃げ穴６３，７３に挿入されている状態を形成できる。
【００５８】
その状態で、吸引ポンプ部１８（図２を参照。）が動作されることにより、リザーバ５３−１内の分離ポリマーが吸引ノズル２２−１を介して吸引除去される。このとき、吸引ポンプ部１８において、例えば吸引ノズル２２−１に接続されているポンプのみが動作される。
【００５９】
なお、この状態で、吸引ノズル２２−２，２２−３の先端は貫通孔６４−，６４−３（図６を参照。）の内部に位置していてもよいし、貫通孔６４−，６４−３の上方に配置されていてもよい。
【００６０】
また、逃げ穴７３に挿入された吸引ノズル２２−４の先端は、逃げ穴７３の底に接触していてもよいし、接触していなくてもよい。ただし、吸引ノズル２２−４の先端の汚染を考慮すると、吸引ノズル２２−４の先端は逃げ穴７３の底に接触しないことが好ましい。なお、逃げ穴７３は底を有するものであってもよいし、貫通孔であってもよい。
【００６１】
（Ｃ）吸引ノズル２２−１〜２２−４が移動された後、分注プローブ８が貫通孔６４−１（図６を参照。）を介してリザーバ５３−１に挿入される。このとき、分注プローブ８と貫通孔６４−１の間には隙間が形成されている。そして、リザーバ５３−１に分注プローブ８から洗浄液が供給される。分注プローブ８からの洗浄液の供給は、図２を参照して説明すると、開閉バルブ９ａを閉じ、開閉バルブ９ｂを開いた状態で計量ポンプ４を吸引動作させて計量ポンプ４内に洗浄液容器１０から洗浄液を吸引した後、開閉バルブ９ｂを閉じ、開閉バルブ９ａを開いた状態に切り替えて、計量ポンプ４を吐出動作させることにより行われる。
【００６２】
（Ｄ）分注プローブ８が移動された後、再びリザーバ５３−１に吸引ノズル２２−１が挿入され、洗浄液が吸引除去される。
（Ｅ）リザーバ５３−１に分注プローブ８から再び洗浄液が供給される。
【００６３】
（Ｆ）吸引ノズル２２−１〜２２−３が貫通孔６４−１〜６４−３（図６を参照。）を介してリザーバ５３−１〜５３−３に挿入される。ノズル保持部１７が下降されて吸引ノズル２２−１の先端がリザーバ５３−１の底に接触して押し付けられた後、さらにノズル保持部１７が下降されて吸引ノズル２２−２，２２−３の先端がリザーバ５３−２，５３−３の底に接触する。また、吸引ノズル２２−４は逃げ穴６３，７３に挿入される。
【００６４】
吸引ポンプ部１８が動作されて、リザーバ５３−１内の洗浄液とリザーバ５３−２，５３−３内の分離ポリマーが吸引ノズル２２−１〜２２−３を介して吸引除去される。このとき、吸引ポンプ部１８において、例えば吸引ノズル２２−１〜２２−３に接続されているポンプのみが動作される。
【００６５】
（Ｇ）ノズル保持部１７が移動されて、吸引ノズル２２−４が加圧ポート貫通孔６４−４（図６を参照。）を介して加圧ポートリザーバ５３−４に挿入され、吸引ノズル２２−４の先端が加圧ポートリザーバ５３−４の底に接触する。このとき、吸引ノズル２２−１〜２２−３はリザーバ５３−１〜５３−３には挿入されない。吸引ノズル２２−１〜２２−３の先端は、シール付き部材２６の上方に配置されてもよいし、シール付き部材２６に逃げ穴を別途設けてその逃げ穴に挿入されるようにしてもよい。
【００６６】
加圧ポートリザーバ５３−４に吸引ノズル２２−４が挿入された状態で、吸引ポンプ部１８が動作されてリザーバ５３−４内の分離ポリマーが吸引ノズル２２−４を介して吸引除去される。このとき、吸引ポンプ部１８において、例えば吸引ノズル２２−４に接続されているポンプのみが動作される。
【００６７】
（Ｈ）次にリザーバ５３−１〜５３−４内及び流路５４，５５内の洗浄を行う。この洗浄動作について図１３から図１５も参照して説明する。図１３は、流路内洗浄動作の工程を説明するための概略的な断面図である。図１４は、加圧ポート＃４に分注プローブが挿入され、ポート＃３に吸引ノズルが挿入されている状態を説明するための概略的な断面図である。図１５は、電気泳動チップの流路に洗浄液を供給している状態を説明するための概略的な断面図である。
【００６８】
図１３（１）に示されるように、分注プローブ８がプローブ洗浄部１４（リンスポートとも呼ばれる。）に挿入され、計量ポンプ４から洗浄液が供給されて分注プローブ８の洗浄が行われる。なお、分注プローブ８の洗浄動作は、上記工程（Ｇ）の加圧ポートリザーバ５３−４内の分離ポリマーの吸引動作と並行して行われてもよい。
【００６９】
図１３（２）及び図１４に示されるように、吸引ノズル２２−１〜２２−３が貫通孔６４−１〜６４−３を介してリザーバ５３−１〜５３−３に挿入される。また、吸引ノズル２２−４は逃げ穴６３，７３に挿入される。
【００７０】
さらに、分注プローブ８が加圧ポート貫通孔６４−４を介して加圧ポートリザーバ５３−４に挿入される。このとき、図１４に示されるように、分注プローブ８のプローブテーパー部分８ａが加圧ポート貫通孔６４−４の貫通孔テーパー部分６５−４ａに押し付けられる。これにより、加圧ポート貫通孔６４−４と分注プローブ８の間の気密が保たれる。
【００７１】
この状態で、分注プローブ８から洗浄液を吐出させて加圧ポートリザーバ５３−４から流路５４，５５内に洗浄液を加圧送液する。流路５４，５５からリザーバ５３−１〜５３−３へ排出される分離ポリマー及び洗浄液を吸引ノズル２２−１〜２２−３で吸引する。分注プローブ８から供給される洗浄液の量は、流路５４，５５の洗浄に十分な量、例えば１００μＬ程度である。
【００７２】
また、流路５４，５５内を洗浄する際に、図１５に示されるように、流路５４，５５からリザーバ５３−１〜５３−３へ排出される洗浄液の液面がシール付き部材２６の貫通孔６４−１〜６４−３内に位置するように、分注プローブ８からの洗浄液の吐出流量と、吸引ノズル２２−１〜２２−３への洗浄液の吸引時期及び吸引量が制御される。これにより、リザーバ５３−１〜５３−３から貫通孔６４−１〜６４−３内に溢れた洗浄液を用いて吸引ノズル２２−１〜２２−３の先端部の外壁の洗浄が可能になる。
【００７３】
流路５４，５５内の洗浄に十分な量の洗浄液が分注プローブ８から供給された後、分注プローブ８からの洗浄液の供給が停止される。そして、リザーバ５３−１〜５３−３内に残っている洗浄液が吸引ノズル２２−１〜２２−３を介して吸引除去される。このとき、加圧ポートリザーバ５３−４内及び流路５４，５５内には洗浄液が残っている。
【００７４】
（Ｉ）分注プローブ８が加圧ポート貫通孔６４−４から引き抜かれる。また、吸引ノズル２２−１〜２２−３が貫通孔６４−１〜６４−３から引き抜かれる。図１３（３）に示されるように、吸引ノズル２２−４が加圧ポート貫通孔６４−４を介して加圧ポートリザーバ５３−４に挿入される。そして、加圧ポートリザーバ５３−４内に残っている洗浄液が吸引ノズル２２−４を介して吸引除去される。
【００７５】
なお、分注プローブ８を加圧ポート貫通孔６４−４から引き抜く前に、分注プローブ８の先端が加圧ポート貫通孔６４−４から出ない程度に分注プローブ８を上昇させて分注プローブ８と貫通孔部材６５−４の間に隙間を形成した状態で、分注プローブ８から洗浄液を吐出させて加圧ポートリザーバ５３−４内及び加圧ポート貫通孔６４−４内に洗浄液を供給する動作を含むようにしてもよい。これにより、加圧ポートリザーバ５３−４内及び加圧ポート貫通孔６４−４内の洗浄液を用いて、その後加圧ポートリザーバ５３−４に挿入される吸引ノズル２２−４の洗浄を行うことができる。
【００７６】
また、分注プローブ８から洗浄液を吐出させて加圧ポートリザーバ５３−４から流路５４，５５内に洗浄液を加圧送液した後に、リザーバ５３−１〜５３−３に吸引ノズル２２−１〜２２−３が挿入されるようにしてもよい。この場合、洗浄液は、流路５４，５５からリザーバ５３−１〜５３−３内及び貫通孔６４−１〜６４−３内に溢れ出して溜まる。その後、貫通孔６４−１〜６４−３を介してリザーバ５３−１〜５３−３に吸引ノズル２２−１〜２２−３が挿入されることにより、吸引ノズル２２−１〜２２−３の外壁を洗浄することができる。その後、洗浄液は吸引ノズル２２−１〜２２−３を介して吸引除去される。ここで、分注プローブ８から供給される洗浄液量は、洗浄液が貫通孔６４−１〜６４−３から溢れない程度である。また、リザーバ５３−１〜５３−３内及び貫通孔６４−１〜６４−３内に溜められる洗浄液量は、吸引ノズル２２−１〜２２−３の外壁の洗浄に十分な量であることが好ましい。
【００７７】
（Ｊ）吸引ノズル２２−４が加圧ポート貫通孔６４−４から引き抜かれる。図１３（４）に示されるように、吸引ノズル２２−１〜２２−３が貫通孔６４−１〜６４−３を介してリザーバ５３−１〜５３−３に挿入され、吸引ノズル２２−４が逃げ穴６３，７３に挿入される。また、分注プローブ８が加圧ポート貫通孔６４−４を介して加圧ポートリザーバ５３−４に気密を保って挿入される。ここで、分注プローブ８が加圧ポートリザーバ５３−４に挿入される前に、計量ポンプ４が吸引動作されて分注プローブ８内に空気が吸引された状態にされている。
【００７８】
吸引ポンプ部１８を動作させて吸引ノズル２２−１〜２２−３に流体が吸引される状態にし、また、計量ポンプ４を吐出動作させて分注プローブ８から加圧ポートリザーバ５３−４に空気を供給して、流路５４，５５内に残っている洗浄液をリザーバ５３−１〜５３−３に押し出す。リザーバ５３−１〜５３−３に押し出された洗浄液は吸引ノズル２２−１〜２２−３を介して吸引除去される。分注プローブ８から供給される空気の量は、流路５４，５５内に残っている洗浄液をリザーバ５３−１〜５３−３に押し出すのに十分な量、例えば１００μＬ程度である。これにより、リザーバ５３−１〜５３−４内及び流路５４，５５内は空の状態になる。そして、リザーバ５３−１〜５３−４内及び流路５４，５５内の洗浄が完了する。
【００７９】
（Ｋ）分注プローブ８が加圧ポート貫通孔６４−４から引き抜かれ、分注プローブ８の洗浄及び分注プローブ８への分離ポリマーの吸引が行われる。吸引ノズル２２−１〜２２−３がリザーバ５３−１〜５３−３に挿入され、分注プローブ８が加圧ポート貫通孔６４−４を介して加圧ポートリザーバ５３−４に気密を保って挿入される。なお、上記工程（Ｊ）の後、図１０（Ｋ）の状態にする前に、ノズル洗浄部２８を用いて吸引ノズル２２−１〜２２−４が洗浄されてもよい。
【００８０】
分注プローブ８から所定量の分離ポリマーを吐出させて加圧ポートリザーバ５３−４から流路５４，５５内に分離ポリマーを充填する。流路５４，５５からリザーバ５３−１〜５３−３へ排出される分離ポリマーを吸引ノズル２２−１〜２２−３を介して吸引除去する。分注プローブ８から供給される分離ポリマーの量は、流路５４，５５への分離ポリマーの充填に十分な量、例えば１μＬ程度である。
【００８１】
なお、流路５４，５５への分離ポリマーの充填は、所定量の分離ポリマーが加圧ポートリザーバ５３−４に供給された後、分注プローブ８が加圧ポート貫通孔６４−４から一旦引き抜かれて分注プローブ８の洗浄及び分注プローブ８への空気の吸引が行われ、空気を吸引した分注プローブ８が加圧ポート貫通孔６４−４に気密を保って再度挿入され、分注プローブ８から所定量の空気が吐出されて、加圧ポートリザーバ５３−４を含む密閉された空間内が加圧されることによって行われるようにしてもよい。
【００８２】
（Ｌ）加圧ポートリザーバ５３−４に吸引ノズル２２−４が挿入され、加圧ポートリザーバ５３−４内に残っている分離ポリマーが吸引除去される。これにより流路５４，５５内にのみ分離ポリマーが残っている状態となる。
【００８３】
（Ｍ）〜（Ｐ）分注プローブ８によりリザーバ５３−１〜５３−４に所定量の分離ポリマーが順次分注される。なお、加圧ポートリザーバ５３−４に分離ポリマーを分注する際は、分注プローブ８と貫通孔部材６５−４の間に隙間が形成された状態で分離ポリマーの分注が行われる。加圧ポートリザーバ５３−４を含む空間が密閉されていると流路５５内に空気が入り込むからである。また、リザーバ５３−１〜５３−４に分離ポリマーが分注される順序は、工程（Ｍ）〜（Ｐ）の順序に限定されず、特に限定されない。
【００８４】
（Ｑ）電圧印加部２４によって電極コンタクト６６−１〜６６−４及び電極パターン５６−１〜５６−４（図２、図４及び図６を参照。）を介してリザーバ５３−１〜５３−４に所定のテスト用電圧が印加されて、泳動テストが行なわれる。この泳動テストでは、例えば、電極パターン間の電流値を検出することにより流路にゴミや気泡が混入していないかどうかが確認される。ここでテスト用電圧は、試料を分離するための泳動電圧と同じであってもよいが、それよりも低電圧としてもよい。
【００８５】
この泳動テスト工程で流路への分離ポリマーの充填が正常に行なわれたと判定されたときは、試料を注入して分析を行なうために次の工程（Ｒ）へ進む。また、流路への分離ポリマーの充填が正常に行なわれたと判定されなかったときは、流路への分離ポリマーの充填をやり直すために工程（Ｆ）に戻る。
【００８６】
例えば、流路５４，５５への分離ポリマーの充填のやり直しを許容する回数を予め設定しておく。その回数だけ分離ポリマーの充填のやり直しを行なっても流路５４，５５への分離ポリマーの充填が正常に行なわれたと判定されないときは、その電気泳動チップ５をチップ保持部７から取り外し、別の電気泳動チップ５に交換する。分離ポリマーの充填のやり直しを許容する回数は特に限定されるものではないが、例えば２回又は３回が適当である。
【００８７】
（Ｒ）試料収容用のリザーバ５３−１に吸引ノズル２２−１が挿入され、リザーバ５３−１内の分離ポリマーが吸引除去される。
【００８８】
（Ｓ）リザーバ５３−１に分注プローブ８から所定量の試料溶液が分注される。試料溶液の分注量は、電気泳動チップ５ごとに設定された量である。
【００８９】
（Ｔ）電圧印加部２４によって電極コンタクト６６−１〜６６−４及び電極パターン５６−１〜５６−４（図２、図４及び図６を参照。）を介してリザーバ５３−１〜５３−４に所定の試料導入用の電圧が印加されて、試料が流路５４と５５の交差位置（図４を参照。）へ導かれる。その後、印加電圧が所定の泳動分離用の電圧に切り換えられて、試料がリザーバ５３−４側に向かって分離流路５５内へ導かれ、分離流路５５内で分離される。分離された試料は検出部３１（図２を参照。）によって検出される。
【００９０】
この実施形態では、上記工程（Ｈ）で説明したように、マイクロチップ電気泳動装置１は、加圧ポート貫通孔６４−４に加圧ポート貫通孔６４−４と分注プローブ８の間の気密を保って分注プローブ８を挿入し、貫通孔６４−１〜６４−３に吸引ノズル２２−１〜２２−３を挿入する。また、加圧ポート貫通孔６４−４と加圧ポートリザーバ５３−４の間は弾性部材６７によって気密を保たれている。これにより、加圧ポートリザーバ５３−４と分注プローブ８はオンライン接続される。そして、マイクロチップ電気泳動装置１は、流路５４，５５内に連続的に洗浄液を供給して、短時間で効率的に電気泳動チップ５を洗浄することができる。さらに、各貫通孔は弾性部材で相互に隔離されているため、飛沫や液漏れなどによって短絡するリスクを回避できる。
【００９１】
次に、参考例として、図１６を参照して、シール付き部材２６が設けられていない場合の流路５４，５５内の洗浄工程について説明する。
まず、各リザーバ５３−１〜５３−４内の試料溶液及び分離ポリマーの吸引除去、各リザーバ５３−１〜５３−４内への洗浄液の分注及び吸引除去が行われる。
【００９２】
その後、図１６に示されるように、（１１）分注プローブ８の洗浄、（１２）加圧ポートリザーバ５３−４への洗浄液の分注、（１３）加圧機構１００（例えば特許文献１を参照。）を用いた洗浄液の加圧送液、（１４）リザーバ５３−１〜５３−４へ排出される使用済み分離ポリマー又は洗浄液の吸引除去、（１５）加圧ポートリザーバ５３−４内の洗浄液の吸引除去、（１６）吸引ノズル２２−１〜２２−４の内外表面の洗浄、の処理が順に行われる。
【００９３】
ここで、上記工程（１２）で、加圧ポートリザーバ５３−４から洗浄液が溢れないように、リザーバ５３−４に注入される洗浄液の量は、リザーバ５３−４の容量以下、例えば３μＬ程度にする必要がある。したがって、流路５４，５５内を十分に洗浄するには、上記工程（１１）〜（１６）の一連の処理が何度も（例えば３回以上）繰り返して行われる必要がある。
【００９４】
これに対して、本発明の一実施形態のマイクロチップ電気泳動装置１は、流路５４，５５内に洗浄液をオンラインで連続的に供給できるので、流路５４，５５内及びリザーバ５３−１〜５３−４内を短時間で効率的に洗浄することができる。
【００９５】
また、シール付き部材２６が設けられていない場合には、液体が残っている状態のリザーバに液体が分注されたり、液体がリザーバ容量以上に分注されたりして、洗浄液や分離ポリマーがチップ表面に溢れると、装置１から電気泳動チップ５を取り外して手操作で表面を洗浄する必要が生じ、全自動の利便性を損なっていた。
【００９６】
このような不具合に対して、マイクロチップ電気泳動装置１は、シール付き部材２６を備えていることにより、リザーバ５３−１〜５３−４内にリザーバ容量以上の液体が供給された場合であっても、リザーバから溢れ出した液体を貫通孔６４−１〜６４−４内に収容できる。これにより、リザーバ５３−１〜５３−４から液体が飛散して電気泳動チップ５の上面に付着することが防止される。
【００９７】
また、電気泳動チップ５のリザーバ５３−１〜５３−４の容量は電気泳動チップ５を構成する板状部材の厚みと穴の内径で決まり、例えば２〜３μＬ程度である。これを用いて、例えば５分以上の電気泳動を連続的に実施しようとすると、リザーバの容量が不足するため、電気泳動チップにリザーバ容量を増やすための部材を別途形成するなどの工夫が必要となる。
【００９８】
これに対し、この実施形態のマイクロチップ電気泳動装置１では、シール付き部材２６の貫通孔６４−１〜６４−４がリザーバ５３−１〜５３−４と連続した空間を構成することによって貫通孔６４−１〜６４−４を大容量のリザーバとして用いることができるため、電気泳動チップに別途加工を加えるなどの工夫は不要である。
【００９９】
例えば、電気泳動チップのリザーバ容量を増やすために板状部材の厚みを大きくしたり、リザーバの周囲のチップ表面にリザーバ容量増加用の部材を別途設けたりすると、電気泳動チップ自体の製造コストが増加する。これに対し、マイクロチップ電気泳動装置１は、消耗品としての電気泳動チップ５に設計変更や特別な加工を施すことなく（電気泳動チップ５のコストを上げることなく）、貫通孔６４−１〜６４−４を用いることによってリザーバ容量を増やすことができる。また、チップ交換も容易にできる。
【０１００】
また、マイクロチップ電気泳動装置１は、上記工程（Ｈ）と工程（Ｉ）で説明したように、貫通孔６４−１〜６４−４内で吸引ノズル２２−１〜２２−４の洗浄を行うことができる。したがって、ノズル洗浄部２８をマイクロチップ電気泳動装置１の構成から省略することもできる。ノズル洗浄部２８を備えていないようにすれば、マイクロチップ電気泳動装置１の装置構成を簡略化できる。
【０１０１】
以上、本発明の一実施形態を説明したが、実施形態における構成、配置、数値、材料等は一例であり、本発明はこれに限定されるものではなく、特許請求の範囲に記載された本発明の範囲内で種々の変更が可能である。
【０１０２】
例えば、加圧ポート貫通孔６４−４において分注プローブ８が押し付けられる部分は、上記実施形態ではシール付き部材２６の基材に対して交換可能な貫通孔部材６５−４によって形成されているが、シール付き部材２６の基材又は交換することが前提とされていない部材で形成されていてもよい。
【０１０３】
また、貫通孔６４−１〜６４−４は、上記実施形態では交換可能な貫通孔部材６５−１〜６５−４を用いて形成されているが、シール付き部材２６の基材又は交換することが前提とされていない部材で形成されていてもよい。
【０１０４】
また、分注プローブ８のプローブテーパー部分８ａが加圧ポート貫通孔６４−４の貫通孔テーパー部分６４−４ａに押し付けられることによって加圧ポート貫通孔６４−４と分注プローブ８の間の気密が保たれるが、加圧ポート貫通孔６４−４と分注プローブ８の間の気密を保つ方法はこれに限定されず、どのような方法であってもよい。例えば、分注プローブの先端が貫通孔テーパー部分６４−４ａに押し付けられる構成であってもよいし、分注プローブ８のプローブテーパー部分８ａが加圧ポート貫通孔の内壁の上端に押し付けられる構成であってもよい。また、分注プローブと加圧ポート貫通孔の間にＯリング等の気密を保つための弾性部材が配置されてもよい。
【０１０５】
また、上記実施形態では、流路５４，５５内を洗浄する際に、意図的に、流路５４，５５からリザーバ５３−１〜５３−３へ排出される洗浄液の液面が貫通孔６４−１〜６４−３内に位置するように分注プローブ機構６及び吸引ノズル機構１９が動作されているが、リザーバ５３−１〜５３−３から洗浄液が溢れないようにしながら流路５４，５５内を洗浄してもよい。
【０１０６】
また、本発明の実施形態のマイクロチップ電気泳動装置で用いられる電気泳動チップは、図３や図４に示された構成に限定されず、内部に電気泳動により試料を分離するための分離流路を少なくとも含む流路を備え、上記流路の各端部にそれぞれ開口したリザーバを有する電気泳動チップであればよい。例えば、電気泳動チップは、電気泳動チップ５に対して試料導入流路５４及びリザーバ５４−１，５４−２が設けられていない構成であってもよい。
【符号の説明】
【０１０７】
１  マイクロチップ電気泳動装置
５  電気泳動チップ（マイクロチップ）
６  分注プローブ機構
７  チップ保持部
８  分注プローブ
８ａ  プローブテーパー部分
１９  吸引ノズル機構
２２−１〜２２−４  吸引ノズル
２６  シール付き部材
３８  制御部
５４  流路
５５  分離流路
５３−１〜５３−３  リザーバ
５３−４  加圧ポートリザーバ
６４−１〜６４−３  貫通孔
６４−４  加圧ポート貫通孔
６４−４ａ  貫通孔テーパー部分
６７  弾性部材
６５−４  貫通孔部材
【図１】
0006627580.tif 000002
【図２】
0006627580.tif 000003
【図３】
0006627580.tif 000004
【図４】
0006627580.tif 000005
【図５】
0006627580.tif 000006
【図６】
0006627580.tif 000007
【図７】
0006627580.tif 000008
【図８】
0006627580.tif 000009
【図９】
0006627580.tif 000010
【図１０】
0006627580.tif 000011
【図１１】
0006627580.tif 000012
【図１２】
0006627580.tif 000013
【図１３】
0006627580.tif 000014
【図１４】
0006627580.tif 000015
【図１５】
0006627580.tif 000016
【図１６】
0006627580.tif 000017